(57)【要約】【課題】ユーザの過去の操作に基づいてスクロール量を自動的に調整できる優れたスクロール制御装置及びスクロール制御方法を提供する。【解決手段】一覧表示指示がなされた場合、記憶装置１０２からデータ管理テーブルを読み込み、論理画面データを作成し表示領域部分をディスプレイ装置１０３に表示する。スクロール開始指示がなされた場合、スクロール量決定部１０９は、現在表示中のサムネイルに対応した映像コンテンツの再生回数をデータ管理テーブルから取得し、スクロール量定義テーブルから再生回数に応じた更新されたスクロール量を取得する。表示データ作成部１１０は、更新されたスクロール量に従って表示領域を移動させる。再生回数の多いサムネイルを含むページのスクロール速度が速く、再生回数が少ないサムネイルを含むページのスクロール速度は遅く表示することが可能となる。【選択図】図１
2006011690.tif 000002
【特許請求の範囲】
【請求項１】
ユーザの操作情報を入力する操作情報入力手段と、前記操作情報入力手段により選択された項目に対する選択履歴である選択回数を管理する選択履歴管理手段と、前記選択履歴管理手段が管理する選択回数に基づいてスクロール量を決定するスクロール量決定手段と、前記スクロール量決定手段が決定したスクロール量と前記操作情報入力手段に入力された操作情報のうちのスクロール指示操作とにより表示するデータを生成し出力する表示データ生成手段と、を含むスクロール制御装置。
【請求項２】
ユーザの操作情報を入力する操作情報入力手段と、前記操作情報入力手段により選択された項目に対する選択履歴である選択日時を取得し管理する選択履歴管理手段と、前記選択履歴管理手段が管理する選択日時からの経過時間に基づいてスクロール量を決定するスクロール量決定手段と、前記スクロール量決定手段が決定したスクロール量と前記操作情報入力手段に入力された操作情報のうちのスクロール指示操作により表示するデータを生成し出力する表示データ生成手段と、を含むスクロール制御装置。
【請求項３】
ユーザの操作情報を入力する操作情報入力手段と、前記操作情報入力手段により選択された項目に対応したコンテンツの保存日時を管理する選択履歴管理手段と、前記選択履歴管理手段が管理する保存日時からの経過時間に基づいてスクロール量を決定するスクロール量決定手段と、前記スクロール量決定手段が決定したスクロール量と前記操作情報入力手段に入力された操作情報のうちのスクロール指示操作により表示するデータを生成し出力する表示データ生成手段と、を含むスクロール制御装置。
【請求項４】
前記スクロール量決定手段は、前記選択回数または前記選択日時からの経過時間または前記保存日時からの経過時間が増加するにしたがって前記スクロール量を増加させることを特徴とする請求項１乃至請求項３のいずれかに記載のスクロール制御装置。
【請求項５】
前記スクロール量決定手段は、前記選択回数または前記選択日時からの経過時間または前記保存日時からの経過時間が増加するにしたがって前記スクロール量を減少させることを特徴とする請求項１乃至請求項３のいずれかに記載のスクロール制御装置。
【請求項６】
ユーザの操作情報を入力する操作情報入力ステップと、前記操作情報入力ステップにより選択された項目に対する選択履歴を管理する選択履歴管理ステップと、前記選択履歴管理ステップが管理する管理情報に基づいてスクロール量を決定するスクロール量決定ステップと、前記スクロール量決定ステップで決定されたスクロール量と前記操作情報入力ステップに入力された操作情報のうちのスクロール指示操作とにより、表示するデータを生成し出力する表示データ生成ステップとを含み、前記選択履歴ならびに前記管理情報は選択回数か、または前記選択履歴は選択日時であって前記管理情報は前記選択日時からの経過時間か、または前記選択履歴は前記選択された項目に対したコンテンツの保持日時であって前記管理情報は前記保持日時からの経過時間であるスクロール制御方法。
【発明の詳細な説明】
【技術分野】
【０００１】
本発明は車載端末やＡＶ機器などにおいて、メニュー項目やデータ一覧などを複数ページに渡って表示する場合に、画面スクロールやページ切替を伴ってデータを表示させるスクロール制御装置およびスクロール制御方法に関するものである。
【背景技術】
【０００２】
従来のスクロール制御装置およびスクロール制御方法としては、例えば特許文献１に記載されたものが知られている。
【０００３】
特許文献１は、少なくとも一方向へユーザが任意に回転させることができる回転体と、この回転体の回転速度を検出する回転検出部と、この回転速度検出部により検出された回転速度に基づいてそれぞれスクロール量が異なるスクロールモードのいずれか１つを選択するスクロールモード選択部と、回転体が所定の単位回転量回転したことを検出する回転検出部と、この回転検出部により回転体の回転が検出されたことに応じて、スクロールモード選択部により選択されているスクロールモードに応じたスクロール量で表示器での表示画像のスクロール動作を行わせるスクロール処理部とを具備したことを特徴としている。
【０００４】
ユーザは、スクロール動作を要求するために回転体を回転させる際の回転速度を調整することで、スクロールモードを選択することが可能となり、この結果、簡易かつ直感的な操作で複数のスクロールモードを任意に選択して使用することができる。
【特許文献１】特開２００２−１６９６３９号公報
【発明の開示】
【発明が解決しようとする課題】
【０００５】
しかしながら、従来のスクロール制御装置およびスクロール制御方法では、スクロール量や連続ページ切替の切替速度は、回転体の操作量に応じて変化させている。
【０００６】
例えば、映像コンテンツを大容量記録媒体に記録して再生する記録再生装置において、録画した動画データをサムネイルとして表示するということが広く行われている。サムネイルとは、映像データのデータ量を少なくして画面の一部に表示できるような小さな画像と、ソフトウェアやデータの用途や種別を表現する小さな画像を言う。一覧表示されているサムネイルから所望のサムネイルを探し、サムネイルを選択することにより対応する動画データを再生することができる。ユーザは表示されている画面を注視しスクロール操作を繰り返しながら、所望のデータの検索を行う。
【０００７】
ユーザがサムネイルを視認し、それに対応する動画ファイルの内容を類推するまでの時間はユーザの過去の操作に基づく学習に依存する。この視認から類推までの時間に応じてスクロール量を手動で調整しつつ所望のデータを検索する必要があり、ユーザの負担が大きくなるという課題を有している。
【０００８】
本発明は、従来の問題を解決するためになされたもので、ユーザの過去の操作に基づいてスクロール量を自動的に調整できる優れたスクロール制御装置及びスクロール制御方法を提供することを目的とする。
【課題を解決するための手段】
【０００９】
本発明のスクロール制御装置は、ユーザの操作情報を入力する操作情報入力手段と、操
作情報入力手段により選択された項目に対する選択履歴である選択回数を管理する選択履歴管理手段と、選択履歴管理手段が管理する選択回数に基づいてスクロール量を決定するスクロール量決定手段と、スクロール量決定手段が決定したスクロール量と操作情報入力手段に入力された操作情報のうちのスクロール指示操作とにより表示するデータを生成し出力する表示データ生成手段とを含む構成を有している。
【００１０】
この構成により、ユーザの過去の操作である選択回数に基づいて、スクロール量を自動的に調整し、当該ページの表示時間を変化させるという作用を有する。選択回数の多い選択項目については、未選択の選択項目と比較するとユーザの視認性は高いため、選択回数の多い選択項目の表示時間と選択回数の少ない選択項目の表示時間とを相対的に変化させることにより、選択項目に対応したコンテンツの選択に要する時間と、ユーザ負担を軽減することが可能となる、という効果を生ずる。
【００１１】
また、本発明のスクロール制御装置は、ユーザの操作情報を入力する操作情報入力手段と、操作情報入力手段により選択された項目に対する選択履歴である選択日時を取得し管理する選択履歴管理手段と、選択履歴管理手段が管理する選択日時からの経過時間に基づいてスクロール量を決定するスクロール量決定手段と、スクロール量決定手段が決定したスクロール量と操作情報入力手段に入力された操作情報のうちのスクロール指示操作により表示するデータを生成し出力する表示データ生成手段と、を含む構成を有する。
【００１２】
この構成により、選択項目の選択日時からの経過時間に応じてスクロール量を変化させることができるという作用を有する。直前に選択した選択項目については、過去に選択した選択項目と比較するとユーザの視認性は高いため、選択日時からの経過時間が短い選択項目と経過時間が長い選択項目との表示時間とを相対的に変化させることにより、選択項目に対応したコンテンツの検索に要する時間と、ユーザ負担を軽減することが可能となる、という効果を生ずる。
【００１３】
また、本発明のスクロール制御装置は、ユーザの操作情報を入力する操作情報入力手段と、操作情報入力手段により選択された項目に対応したコンテンツの保存日時を管理する選択履歴管理手段と、選択履歴管理手段が管理する保存日時からの経過時間に基づいてスクロール量を決定するスクロール量決定手段と、スクロール量決定手段が決定したスクロール量と操作情報入力手段に入力された操作情報のうちのスクロール指示操作により表示するデータを生成し出力する表示データ生成手段と、を含む構成を有する。
【００１４】
この構成により、選択項目に対応したコンテンツの保存日時からの経過時間に応じてスクロール量を変化させることができるという作用を有する。保存操作を行ったコンテンツに対応する選択項目については、保存日時からの経過時間が短いほどユーザの視認性は高いため、保存日時からの経過時間が短い選択項目と経過時間が長い選択項目との表示時間とを相対的に変化させることにより、コンテンツの検索に要する時間と、ユーザ負担を軽減することが可能となる、という効果を生ずる。
【００１５】
また、本発明のスクロール制御装置は、スクロール量決定手段が、選択回数または選択日時からの経過時間または保存日時からの経過時間が増加するにしたがってスクロール量を増加させる構成を有する。この構成により、選択項目の選択回数または選択項目の選択日時からの経過時間または選択項目に対応したコンテンツの保存日時からの経過時間が多くなるにしたがって、スクロール速度を速く表示するという作用を有し、選択しないもの、または頻繁に選択するもの、または新しいものほど選択しやすくなるという効果を生ずる。
【００１６】
さらに、本発明のスクロール制御装置は、スクロール量決定手段が、選択回数または選
択日時からの経過時間または保存日時からの経過時間が増加するにしたがってスクロール量を減少させる構成を有する。この構成により、選択項目の選択回数または選択項目の選択日時からの経過時間または選択項目に対応したコンテンツの保存日時からの経過時間が多くなるにしたがって、スクロール速度を遅く表示するという作用を有し、繰り返し選択するもの、または繰り返し選択しないもの、または古いものほど選択しやすくなるという効果を生ずる。
【発明の効果】
【００１７】
本発明は、ユーザの操作情報を入力する操作情報入力手段と、操作情報入力手段により選択された項目に対する選択履歴を管理する選択履歴管理手段と、選択履歴管理手段が管理する管理情報に基づいてスクロール量を決定するスクロール量決定手段と、スクロール量決定手段が決定したスクロール量と操作情報入力手段に入力された操作情報のうちのスクロール指示操作とにより、表示するデータを生成し出力する表示データ生成手段とを含み、選択履歴ならびに管理情報は選択回数か、または選択履歴は選択日時であって管理情報は選択日時からの経過時間か、または選択履歴は選択された項目に対したコンテンツの保持日時であって管理情報は前記保持日時からの経過時間であることにより、選択回数の多い選択項目は、未選択の選択項目と比較するとユーザの視認性は高いため、あるいは、直前に選択した選択項目については、過去に選択した選択項目と比較するとユーザの視認性は高いため、あるいは、保存操作を行ったコンテンツに対応する選択項目については、保存日時からの経過時間が短いほどユーザの視認性は高いため、選択履歴に応じて表示時間を相対的に変化させることにより、選択項目に対応したコンテンツの選択に要する時間と、ユーザ負担を軽減することが可能となるという効果を有するスクロール制御装置を提供することができるものである。
【発明を実施するための最良の形態】
【００１８】
以下、本発明の実施の形態におけるスクロール制御装置について、図面を用いて説明する。
【００１９】
（第１の実施の形態）
図１は、本発明の第１の実施の形態におけるスクロール制御装置の構成を示すブロック図である。図１に示す本実施形態のスクロール制御装置は、タッチパネルやリモコンおよびリモコン受光部などにより構成されユーザがスクロール制御装置を操作するための操作部１０１と、チューナ装置等の外部装置から映像コンテンツおよびコンテンツ名や録画時間などの付加情報を入力するためのＡＶ入力部１０６と、映像コンテンツと映像コンテンツそれぞれに対応したサムネイルを保存する記憶装置１０２と、映像/音声情報をディスプレイ装置１０３に表示するためのＡＶ出力部１０８と、記憶装置１０２に保存されている映像コンテンツの再生回数を管理する選択履歴管理部１０４と、操作部１０１からの指示に基づいて記憶装置１０２に保存されている映像コンテンツとそれに対応したサムネイルを呼び出し、ディスプレイ装置１０３に表示するための表示データを作成する表示制御部１０５と、装置の各部を制御する制御部１０７からなる。
【００２０】
表示制御部１０５は、ＡＶ出力部１０８を介しディスプレイ装置１０３にて表示するデータを生成する表示データ作成部１１０と、選択履歴管理部１０４で管理されている再生回数に応じてスクロール速度を決定するスクロール量決定部１０９を備えている。
【００２１】
以上のように構成されたスクロール制御装置について、その動作を説明する。
【００２２】
図２は、本実施の形態のスクロール制御装置を用いてサムネイル一覧を表示する場合の画面例を示す図である。
【００２３】
表示物として、記憶装置１０２に保存されている映像コンテンツに対応したサムネイルと付加情報２０４としてタイトルと録画日時とチャンネルを併せて表示している。論理画面２０１上に表示対象物をリング状に配置し、この論理画面上の表示領域を移動することにより表示領域２０２内の情報がディスプレイ装置１０３に表示される。論理画面２０１の情報の生成および表示領域２０２内の情報出力制御は表示制御部１０５によって処理される。
【００２４】
図３は、本実施の形態のスクロール制御装置における記憶装置１０２内に保持され、スクロール量決定部１０９によって参照されるデータ管理テーブルを示す図であり、映像コンテンツのファイル名と、タイトル名と録画日時とチャンネル名などの付加情報と、個々の映像コンテンツに対応するサムネイルデータと、映像コンテンツの再生回数が管理されている。再生回数フィールドは、サムネイル選択というユーザ操作によりそのサムネイルに対応した映像コンテンツが再生された場合、選択履歴管理部１０４によって更新されるものとする。
【００２５】
図４は、本実施の形態のスクロール制御装置における再生回数とそれに対応したスクロール量を定義したスクロール定義テーブルを示す図である。スクロール量決定部１０９にてスクロール量を算出する際に参照される。図５は、本実施の形態のスクロール制御装置の動作を示すフロー図である。
【００２６】
まず、操作部１０１を介してメニュー選択などのユーザ指示により一覧表示指示がなされた場合、表示データ作成部１１０は記憶装置１０２からデータ管理テーブル（図３参照）を読み込み、図２に示す論理画面データを作成し表示領域部分を、ＡＶ出力部１０８を介してディスプレイ装置１０３に表示する（ステップ５０１）。
【００２７】
操作部１０１から、メニュー表示など他画面への遷移指示が入力された場合（ステップ５０２のＹ）、処理を終了する。終了指示はなされず（ステップ５０２のＮ）、スクロール開始指示がなされた場合（ステップ５０３のＹ）は、スクロール量更新動作に進む（ステップ５０４）。ここでスクロール開始指示はスクロール方向２０３を伴って指定されるとする。スクロール開始指示がなされない場合（ステップ５０３のＮ）は、ステップ５０２の前に戻り、操作部１０１からの次の入力を待つ。
【００２８】
スクロール量決定部１０９は、現在表示中のサムネイルに対応した映像コンテンツの再生回数をデータ管理テーブル（図３）から取得し、スクロール量定義テーブル（図４）から再生回数に応じた更新されたスクロール量を取得する。複数のサムネイルを表示する場合、それぞれのサムネイルにおけるスクロール量の平均値を更新されたスクロール量とする（ステップ５０４）。
【００２９】
表示データ作成部１１０は、ステップ５０４で更新されたスクロール量と、操作部１０１からのスクロール方向２０３の指示に従って図２に示した表示領域を移動させる（ステップ５０５）。
【００３０】
ステップ５０４、ステップ５０５の動作をスクロール停止指示が入力されるまで連続して行う（ステップ５０６のＮ）ことにより、再生回数の多いサムネイルを含むページのスクロール速度が速く、再生回数が少ないサムネイルを含むページのスクロール速度は遅く表示することが可能となる。スクロール停止指示が入力された場合（ステップ５０６のＹ）、スクロールを停止し、ステップ５０２の前に戻り、操作部１０１からの次の入力を待つ。
【００３１】
なお、ステップ５０４では個々のサムネイルにおけるスクロール量の平均値をスクロー
ル量としたが、個々のサムネイルにおける表示領域中の表示面積比に従ってスクロール量を算出しても良い。
【００３２】
以上説明したように、再生回数の多い動画データに対応するサムネイルについては、未視聴のサムネイルと比較するとユーザの視認性は高いため、再生回数の多いコンテンツに対応したサムネイルの表示時間と再生回数の少ないコンテンツに対応したサムネイルの表示時間とを相対的に変化させることにより、内容を視認するのに時間を要するコンテンツのスクロール量は少なくして、過去に選択した回数が少ないコンテンツを選択しやすくすることで、コンテンツの選択に要する時間と、ユーザ負担を軽減することが可能となる。
【００３３】
また、図４のスクロール量定義テーブルでは、再生回数が多くなるに従ってスクロール量も増えるように定義されているが、逆に、再生回数が多くなるに従ってスクロール量が減るように定義すれば、繰り返し選択するコンテンツへの到達速度を速くでき、コンテンツの選択に要する時間と、ユーザ負担を軽減することが可能となる。
【００３４】
（第２の実施の形態）
図６は、本発明の第２の実施の形態におけるスクロール制御装置の構成を示すブロック図である。図２に示す本実施の形態のスクロール制御装置は、図１の構成に対し、タイマ部６０１を追加したものである。
【００３５】
タイマ部６０１は、時計機能とカレンダー機能を備えている。
【００３６】
以上のように構成された本実施の形態のスクロール制御装置について、その動作を図７および図８を用いて説明する。
【００３７】
図７は、本発明の第２の実施の形態におけるスクロール制御装置のデータ管理テーブルを示す図であり、図８は、本発明の第２の実施の形態におけるスクロール制御装置の視聴日時からの経過時間に対するスクロール量を定義したスクロール定義テーブルを示す図である。
【００３８】
図７のデータ管理テーブルは、映像コンテンツのファイル名と、タイトル名と録画日時とチャンネル名などの付加情報と、個々の映像コンテンツに対応するサムネイルデータと、映像コンテンツの視聴日時が管理されている。視聴日時フィールドは、サムネイル選択というユーザ操作によりそのサムネイルに対応した映像コンテンツが再生された場合、選択履歴管理部１０４は、タイマ部６０１から日時情報を取得し、データ管理テーブルの視聴日時フィールドを更新する。
【００３９】
図８に示すスクロール定義テーブルは、スクロール量決定部１０９にてスクロール量を算出する際に参照される。
【００４０】
本実施の形態の動作を、図５を用いて説明する。
【００４１】
第１の実施の形態と同様に、操作部１０１を介してメニュー選択などのユーザ指示により一覧表示指示がなされた場合、表示データ作成部１１０は、記憶装置１０２からデータ管理テーブル（図７）を読み込み、図２に示す論理画面データを作成し表示領域部分を、ＡＶ出力部１０８を介してディスプレイ装置１０３に表示する（ステップ５０１）。
【００４２】
操作部１０１から、メニュー表示など他画面への遷移指示が入力された場合（ステップ５０２のＹ）、処理を終了する。終了指示はなされず（ステップ５０２のＮ）、スクロール開始指示がなされた場合（ステップ５０３のＹ）は、スクロール量更新動作に進む（ス
テップ５０４）。ここでスクロール開始指示はスクロール方向を伴って入力されるとする。スクロール開始指示がなされない場合（ステップ５０３のＮ）は、ステップ５０２の前に戻り、操作部１０１からの次の入力を待つ。
【００４３】
スクロール量決定部１０９は、データ管理テーブル（図７）から現在表示中のサムネイルに対応した映像コンテンツの視聴日時を取得するとともに、タイマ部６０１から現在日時を取得する。さらに視聴日時と現在日時とから、視聴日時からの経過時間を算出し、スクロール量定義テーブル（図８）により視聴日時からの経過時間に応じた更新されたスクロール量を取得する。また、表示領域中に複数のサムネイルを表示する場合、それぞれのサムネイルにおけるスクロール量の平均値を更新されたスクロール量とする（ステップ５０４）。
【００４４】
表示データ作成部１１０は、ステップ５０４で更新されたスクロール量と、操作部１０１からのスクロール方向指示に従って図２に示した表示領域を移動させる（ステップ５０５）。
【００４５】
ステップ５０４、ステップ５０５の動作をスクロール停止指示が入力されるまで連続して行う（ステップ５０６のＮ）ことにより、経過時間の小さいサムネイルを含むページのスクロール速度が速く、経過時間が大きいサムネイルを含むページのスクロール速度は遅く表示することが可能となる。スクロール停止指示が入力された場合（ステップ５０６のＹ）、スクロールを停止し、ステップ５０２の前に戻り、操作部１０１からの次の入力を待つ。
【００４６】
なお、ステップ５０４では個々のサムネイルにおけるスクロール量の平均値をスクロール量としたが、個々のサムネイルの表示領域中の表示面積比に従ってスクロール量を算出してもよい。
【００４７】
以上説明したように、最近視聴した動画データに対応するサムネイルについては、過去に視聴したもののサムネイルと比較するとユーザの視認性は高いため、視聴日時からの経過時間が短いサムネイルと経過時間が長いサムネイルとの表示時間とを相対的に変化させることにより、頻繁に選択して前回の視聴日時からの経過時間が短いサムネイルのスクロール時間を短くすれば、視認に要する時間に応じてスクロール時間を最適化でき、コンテンツの検索に要する時間と、ユーザ負担を軽減することが可能となる、という効果を生ずる。
【００４８】
また、図８のスクロール量定義テーブルでは、経過時間が多くなるに従ってスクロール量が小さくなるように定義されているが、逆に、経過時間が多くなるに従ってスクロールが大きくなるように定義すれば、頻繁に選択するコンテンツへの到達速度を速くでき、コンテンツの検索に要する時間と、ユーザ負担を軽減することが可能となる。
【００４９】
（第３の実施の形態）
本発明の第３の実施の形態におけるスクロール制御装置の構成をは、本発明の第２の実施の形態におけるスクロール制御装置の構成と同様に図６に示される。
以上のように構成された本実施の形態のスクロール制御装置について、その動作を図５、図６および図９を用いて説明する。図９は、本実施の形態におけるスクロール制御装置のスクロール定義テーブルを示す図である。
【００５０】
操作部１０１を介してメニュー選択などのユーザ指示により一覧表示指示がなされた場合、表示データ作成部１１０は記憶装置１０２からデータ管理テーブル（図７）を読み込み、図２に示す論理画面データを作成し表示領域部分を、ＡＶ出力部１０８を介してディ
スプレイ装置１０３に表示する（ステップ５０１）。
【００５１】
操作部１０１から、メニュー表示など他画面への遷移指示が入力された場合（ステップ５０２のＹ）、処理を終了する。終了指示はなされず（ステップ５０２のＮ）、スクロール開始指示がなされた場合（ステップ５０３のＹ）は、スクロール量更新動作に進む（ステップ５０４）。ここでスクロール開始指示はスクロール方向を伴って入力されるとする。スクロール開始指示がなされない場合（ステップ５０３のＮ）は、ステップ５０２の前に戻り、操作部１０１からの次の入力を待つ。
【００５２】
スクロール量決定部１０９は、データ管理テーブル（図７）から現在表示中のサムネイルに対応した映像コンテンツの録画日時を取得するとともに、タイマ部６０１から現在日時を取得する。さらに録画日時と現在日時とから、録画日時からの経過時間を算出し、スクロール量定義テーブル（図９）から、録画日時からの経過時間に応じたスクロール量を取得する。また、表示領域中に複数のサムネイルを表示する場合、それぞれのサムネイルにおけるスクロール量の平均値をスクロール量とする（ステップ５０４）。
【００５３】
表示データ作成部１１０は、ステップ５０４で更新されたスクロール量と、操作部１０１からのスクロール方向指示に従って図２に示した表示領域を移動させる（ステップ５０５）。
【００５４】
ステップ５０４、ステップ５０５の動作をスクロール停止指示が入力されるまで連続して行う（ステップ５０６のＮ）ことにより、経過時間の小さいサムネイルを含むページのスクロール速度を遅く、経過時間が大きいサムネイルを含むページのスクロール速度は速く表示することが可能となる。スクロール停止指示が入力された場合（ステップ５０６のＹ）、スクロールを停止し、ステップ５０２の前に戻り、操作部１０１からの次の入力を待つ。
【００５５】
なお、ステップ５０４では個々のサムネイルにおけるスクロール量の平均値をスクロール量としたが、個々のサムネイルにおける表示領域中の表示面積比に従ってスクロール量を算出しても良い。
【００５６】
以上説明したように、サムネイルに対応したコンテンツの録画日時からの経過時間に応じてスクロール量を変化させることができるようにしたことにより、録画操作を行ったコンテンツに対応するサムネイルについては、録画日時からの経過時間が短いほどユーザの視聴の可能性が高い場合には、録画日時からの経過時間が短いサムネイルと経過時間が長いサムネイルとの表示時間とを相対的に変化させることにより、より録画日時からの経過時間が短いコンテンツを選択しやすく、コンテンツの検索に要する時間と、ユーザ負担を軽減することが可能となる。
【００５７】
また、図９のスクロール量定義テーブルでは、経過時間が多くなるに従ってスクロール量が大きくなるように定義されているが、逆に経過時間が多くなるに従ってスクロールが小さくなるように定義すれば、ユーザの視認性の高い録画日時からの経過時間が短いサムネイルのスクロールは早められ、コンテンツの検索に要する時間と、ユーザ負担を軽減することが可能となる。
【００５８】
なお、本実施の形態では、スクロールの対象が映像コンテンツのサムネイルの場合で説明したが、本発明はこれに限定されることなく、映像情報、画像情報や文字情報など、これに限定されない、また、データを表示するディスプレイ装置を備える場合で説明したが、ディスプレイ装置は本発明のスクロール制御装置の外にあってもよい。
【００５９】
また、選択日時を取得するタイマ部を有する場合で説明したが、本発明はこれに限定されることなく、本発明のスクロール制御装置の外にあるタイマ部から日時情報を取得するようにしてもよい。
【産業上の利用可能性】
【００６０】
以上のように、本発明にかかるスクロール制御装置は、選択回数の多い選択項目は、未選択の選択項目と比較するとユーザの視認性は高いため、あるいは、直前に選択した選択項目については、過去に選択した選択項目と比較するとユーザの視認性は高いため、あるいは、保存操作を行ったコンテンツに対応する選択項目については、保存日時からの経過時間が短いほどユーザの視認性は高いため、選択履歴に応じて表示時間を相対的に変化させることにより、選択項目に対応したコンテンツの選択に要する時間と、ユーザ負担を軽減することが可能となるという効果を有し、車載端末やＡＶ機器などにおいて、メニュー項目やデータ一覧などを複数ページに渡って表示する場合に、画面スクロールやページ切替を伴ってデータを表示させるスクロール制御装置等およびスクロール制御方法等として有用である。
【図面の簡単な説明】
【００６１】
【図１】本発明の第１の実施の形態におけるスクロール制御装置の構成を示すブロック図
【図２】本発明の第１の実施の形態のスクロール制御装置を用いてサムネイル一覧を表示する場合の画面例を示す図
【図３】本発明の第１の実施の形態のスクロール制御装置におけるデータ管理テーブルを示す図
【図４】本発明の第１の実施の形態のスクロール制御装置におけるスクロール定義テーブルを示す図
【図５】本発明の第１の実施の形態のスクロール制御装置の動作を示すフロー図
【図６】本発明の第２の実施の形態におけるスクロール制御装置の構成を示すブロック図
【図７】本発明の第２の実施の形態におけるスクロール制御装置のデータ管理テーブルを示す図
【図８】本発明の第２の実施の形態におけるスクロール制御装置の視聴日時からの経過時間に対するスクロール量を定義したスクロール定義テーブルを示す図
【図９】本発明の第３の実施の形態におけるスクロール制御装置のスクロール定義テーブルを示す図
【符号の説明】
【００６２】
１０１  操作部
１０２  記憶装置
１０３  ディスプレイ装置
１０４  選択履歴管理部
１０５  表示制御部
１０６  ＡＶ入力部
１０７  制御部
１０８  ＡＶ出力部
１０９  スクロール量決定部
１１０  表示データ作成部
２０１  論理画面
２０２  表示領域
２０３  スクロール方向
２０４  付加情報
６０１  タイマ部
【図１】
2006011690.tif 000003
【図２】
2006011690.tif 000004
【図３】
2006011690.tif 000005
【図４】
2006011690.tif 000006
【図５】
2006011690.tif 000007
【図６】
2006011690.tif 000008
【図７】
2006011690.tif 000009
【図８】
2006011690.tif 000010
【図９】
2006011690.tif 000011